(57)【特許請求の範囲】
【請求項１】
一枚の箱体形成片から成り、互いに平行に連接され筒体に組み立てられる側面と、前記側面の一つに連続して設けられ前記筒体の開口部を閉鎖する上蓋片と、前記上蓋片に連接し対向する前記側面の裏面に重ねられる差込裏板片と、前記差込裏板片が重ねられる前記側面に設けられた開封口形成部が設けられ、前記開封口形成部は、開封線で囲まれて設けられ、
前記開封線は、複数個の開封用透孔が間隔を開けて列になって形成され、
前記開封用透孔の形状は、前記開封線に沿う直線部を有するものであり、
前記開封用透孔の前記直線部は、前記開封用透孔のその他の周縁部よりも外側に突出するように長く形成され、
前記複数個の開封用透孔は、前記各直線部が互いに延長線上に位置し、
前記開封線の前記開封用透孔から前記差込裏板片が視認され、前記差込裏板片には前記開封口形成部か設けられた前記側面とは異なる色や模様が設けられ、
前記開封口形成部は、前記側面の端部に交差する一対の前記開封線と、前記一対の開封線の前記側面の中央部側の先端同士を連結する開始用透孔で囲まれて設けられ、前記開始用透孔には、前記開封線に向かって細く突出する溝部が設けられていることを特徴とする包装用箱。
【請求項２】
前記開封口形成部は、前記側面の端部に交差する一対の前記開封線と、前記一対の開封線の前記側面の中央部側の先端同士を連結する破断線で囲まれて設けられている請求項１記載の包装用箱。
【請求項３】
前記開封用透孔は、前記直線部と、前記直線部分から側方に湾曲して突出する曲線部で形成され、前記一対の前記開封線の互いに近い部分に前記曲線部が位置して互いに近づく方へ突出して形成されている請求項１または２記載の包装用箱。
【請求項４】
前記差込裏板片と、前記差込裏板片が重ねられる前記側面は、前記側面の前記開封口形成部と前記上蓋片を、封緘部材で留めて係止される請求項１記載の包装用箱。
【発明の詳細な説明】
【技術分野】
【０００１】
この発明は、開封するための開封口形成部が側面に設けられた包装用箱に関する。
【背景技術】
【０００２】
従来、収容物を収納して搬送し店頭に陳列するための包装用箱として、一枚のブランクシートから一体的に打ち抜かれた箱体形成片を立体的に組み立てたものとして、互いに平行に連接され筒体に組み立てられる側面と、側面の一つに連続して設けられ前記筒体の開口部を閉鎖する上蓋片と、上蓋片に連接し対向する側面の裏面に係止される差込片と、差込片に係止される側面に設けられた開封口形成部が設けられたものがある。開封口形成部は、側面の、上蓋片に係止された部分を切断して開封するものであり、いろいろなものが考えられている。
【０００３】
例えば、特許文献１に開示されている包装用紙箱は、一側面の上縁部に開封用穴を開設し、該開封用穴の上縁の一部が開封開始縁となり、これに連続して上縁に至る破断線によって開封片を形成するものである。また側面の上縁に、この側面の内面に折返されて前記開封用穴を塞ぐ折返し片を延設し、これを側面の内面に接着した構成としている。
【０００４】
また、特許文献２に開示されている包装用紙箱は、上蓋部と箱体前面上部とがテープにより封滅され、テープが粘着された箱体前面上部に、そのテープの粘着端部の一部を包囲するようにして形成されたミシン目と切断線からなりテープよりも幅の狭い指頭導入部を設け、この指頭導入部の上辺を切込線で形成するとともに箱体前面上縁に対して平行に設けている。
【０００５】
特許文献３に開示されている箱は、上蓋部と箱体前面上部とがテープにより封緘され、テープが粘着された箱体前面上部に透孔を設け、透孔より前面上辺に向けてミシン目が設けられている。
【先行技術文献】
【特許文献】
【０００６】
【特許文献１】特開平９−１１００３３号公報
【特許文献２】実公昭５７―３９３１０号公報
【特許文献３】実開昭５７−１５６４２１号公報
【発明の概要】
【発明が解決しようとする課題】
【０００７】
上記背景技術の場合、いずれも開封する部分が破断線やミシン目で形成されているため、見えにくいものであり、また触っても分かりにくいものであり、視覚と触覚により分かりやすい開封口形成部が求められている。また、開封するときにも特段大きな音が発生するものではなく、聴覚により開封したことを認識できるものでもなかった。
【０００８】
この発明は、上記背景技術の問題点に鑑みてなされたものであり、簡単な構造で視覚と触覚により開封口形成部の位置が分かりやすい包装用箱を提供することを目的とする。
【課題を解決するための手段】
【０００９】
本発明は、一枚のブランクシートから一体的に打ち抜かれた箱体形成片から成り、互いに平行に連接され筒体に組み立てられる側面と、前記側面の一つに連続して設けられ前記筒体の開口部を閉鎖する上蓋片と、前記上蓋片に連接し対向する前記側面の裏面に重ねられる差込裏板片と、前記差込裏板片が重ねられる前記側面に設けられた開封口形成部が設けられている包装用箱である。前記開封口形成部は、開封線で囲まれて設けられ、前記開封線は、任意の形状の複数個の開封用透孔が任意の間隔を開けて列になって形成されている。前記開封用透孔の形状は、前記開封線に沿う直線部を有するものであり、前記直線部は、前記開封用透孔のその他の周縁部よりも外側に突出するように長く形成されている。前記複数個の開封用透孔は、前記各直線部が互いに延長線上に位置している。
【００１０】
また、前記開封線の前記開封用透孔から前記差込裏板片が視認され、前記差込裏板片には前記開封口形成部か設けられた前記側面とは異なる色や模様が設けられているものである。
【００１１】
また、前記開封口形成部は、前記側面の端部に交差する一対の前記開封線と、前記一対の開封線の前記側面の中央部側の先端同士を連結する開始用透孔で囲まれて設けられ、前記開始用透孔には、前記開封線に向かって細く突出する溝部が設けられている。
【００１２】
また、前記開封口形成部は、前記側面の端部に交差する一対の前記開封線と、前記一対の開封線の前記側面の中央部側の先端同士を連結する破断線で囲まれて設けられている。
【００１３】
また、前記開封用透孔は、前記直線部と、前記直線部分から側方に湾曲して突出する曲線部で形成され、前記一対の前記開封線の互いに近い部分に前記曲線部が位置して互いに近づく方へ突出しているものである。
【００１４】
また、前記差込裏板片と、前記差込裏板片が重ねられる前記側面は、前記側面の前記開封口形成部と前記上蓋片を、粘着性を有するテープ等の封緘部材で留めて係止されるものである。
【発明の効果】
【００１５】
本発明の包装用箱は、簡単な構造で視覚と触覚により、開封口形成部の位置が分かりやすく、視力が低下した人にも容易に開封することができる。また、各開封用透孔から、側面とは異なる色や模様が見えて目立つため、消費者に強い印象を与えることができる。その他、開封するときには、比較的大きな音が発生して聴覚で開封を認識することもできる。
【図面の簡単な説明】
【００１６】
【図１】この発明の第一実施形態の包装用箱の斜視図である。
【図２】この発明の第一実施形態の包装用箱の開封した状態を示す斜視図である。
【図３】この発明の第一実施形態の包装用箱の展開図である。
【図４】この発明の第二実施形態の包装用箱の斜視図である。
【図５】この発明の第二実施形態の包装用箱の開封した状態を示す斜視図である。
【図６】この発明の第二実施形態の包装用箱の展開図である。
【発明を実施するための形態】
【００１７】
以下、この発明の実施形態について図面に基づいて説明する。図１〜図３はこの発明の第一実施形態を示すもので、この実施形態の包装用箱１０は、紙製等の一枚のブランクシートを打ち抜いて形成された箱体形成片１２を組み立てて設けられている。
【００１８】
図３は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さは同じ長さであり、それと直交する連接方向の長さは、側面１６，２０が長くて互いに等しく、側面１４，１８が短くて互いにほぼ等しい。側面２０の側縁部には、包装用箱１０の組立状態で側面１４の裏面に糊付けされる糊付片２２が設けられている。そして、側面１４，１６，１８，２０、糊付片２２は、各々折罫線２４，２６，２８，３０で区切られている。
【００１９】
側面１４の、側面同士の連接方向に対して直角な方向の一方の端部には、矩形の上フラップ３２が折罫線３４で区切られて設けられ、折罫線３４と反対側の端部には、上フラップ３２と同じ形状の下フラップ３６が折罫線３８で区切られて設けられている。
【００２０】
側面１６の、側面１４の折罫線３４に隣接する端部には、矩形の上蓋片４０が折罫線４２で区切られて設けられている。上蓋片４０の折罫線４２と反対側の端部には、差込裏板片４４が折罫線４６で区切られて設けられている。差込裏板片４４は、包装用箱１０の組立状態で側面２０の裏面に差し込まれるものであり、差込裏板片４４の形状は、後述する開封口形成部６４を覆う大きさの矩形であり、角部が面取りされたものである。側面１６の、折罫線４２と反対側の端部には、上蓋片４０と同じ形状の下蓋片４８が折罫線５０で区切られて設けられている。下蓋片４８の折罫線５０と反対側の端部には、差込片５２が折罫線５４で区切られて設けられている。差込片５２は、折罫線５４から折罫線５４に対して平行な端部までの長さは、差込裏板片４４よりも小さくてもよい。
【００２１】
側面１８の、側面１６の折罫線４２に隣接する端部には、矩形の上フラップ５６が折罫線５８で区切られて設けられ、折罫線５８と反対側の端部には、上フラップ５６と同じ形状の下フラップ６０が折罫線６２で区切られて設けられている。
【００２２】
側面２０の、側面１８の折罫線５８に隣接する端部２０ａと、折罫線６２に隣接する２０ｂには、他の部材が設けられていない。端部２０ａの中心には、開封口形成部６４が設けられている。開封口形成部６４は、端部２０ａに対して直角な一対の開封線６６，７２と開始用透孔７８で囲まれて設けられている。
【００２３】
側面１８に近い開封線６６は、端部２０ａから少し離れた位置に設けられた第一開封用透孔６８と、第一開封用透孔６８から間隔をあけて設けられた第二開封用透孔７０が、列になって並べられて形成されている。第一開封用透孔６８の形状は、開封線６６に沿う直線部６８ａと、直線部６８ａの両端部付近から、他方の開封線７２に向かって湾曲して突出する曲線部６８ｂで囲まれて設けられている。直線部６８ａは、曲線部６８ｂよりも少し外側に突出するように長く形成されている。第二開封用透孔７０は、第一開封用透孔６８よりも少し大きい相似形であり、直線部７０ａと曲線部７０ｂで囲まれて設けられている。直線部７０ａは開封線６６に沿って設けられ、直線部６８ａの延長線上に位置している。互いに平行に位置する他方の開封線７２は、開封線６６と線対称の形状に設けられ、第一開封用透孔６８と線対称形状の第一開封用透孔７４と、第二開封用透孔７０と線対称状の第二開封用透孔７６が、列になって並べられて設けられている。第一開封用透孔７４と第二開封用透孔７６は、直線部７４ａ，７６ａは開封線７２に沿って設けられ一直線上に位置している。曲線部７４ｂ，７６ｂは、開封線６６に向かって湾曲して突出している。
【００２４】
開始用透孔７８は、開封線６６，７２の両端のうち、側面２０の中心である中央部側の先端同士を連結して設けられ、端部２０ａに対して平行な長細い矩形であり、長手方向に位置する端部は、第二開封用透孔７０，７６の直線部７０ａ，７６ａの延長線上に位置している。開封線６６，７２とは、第二開封用透孔７０，７６から間隔をあけて設けられ、開始用透孔７８の長手方向に位置する端部の、第二開封用透孔７０，７６に近い角部は、開封線６６，７２に向かって細く突出する溝部８０が各々設けられ、他方の角部は丸く面取りされている。
【００２５】
箱体形成片１２の表面には、例えば収容物についての説明や模様などが印刷されている。差込裏板片４４の表面には、側面２０と異なる色や異なる絵柄で設けられた印刷部８１が印刷されている。
【００２６】
次に、この実施形態の包装用箱１０の組立方法の一例について説明する。ここでは、図３が箱体形成片１２の表面を見たものであり、箱体形成片１２の表面が凸になる折り方を正折り、そして裏面が凸になる折り方を逆折りと称する。
【００２７】
まず、糊付片２２の表面に糊８２を塗布する。糊８２は、糊付片２２の長手方向に沿う直線状に塗布する。次に、折罫線２８を正折りし、折罫線２４を正折する。これにより、糊付片２２の表面は側面１４の裏面に糊付けされ、箱体形成片１２は折り畳み状態となり、この折り畳んだ状態で出荷される。
【００２８】
次に、収容物を収容し包装する工場等において、折罫線２４，２６，２８，３０を各々９０°に正折りして四角形の筒状の箱体にする。そして、下フラップ３６，６０を折罫線３８，６２で正折し、折罫線５０で下蓋片４８を９０°に正折りし、さらに折罫線５４を正折りして、差込片５２を側面２０の端部２０ｂから内側に差し込んで閉鎖し、底部が組み立てられる。
【００２９】
この状態で収容物を箱体の中に入れる。そして、折罫線３４，５８で上フラップ３２，５６を正折りし、さらに折罫線４２で上蓋片４０を９０°に正折りし、折罫線４６を正折りして差込裏板片４４を側面２０の内側に差し込み、閉鎖する。その後、側面２０の開封口形成部６４の中心付近と上蓋片４０を、粘着性を有するテープ等の封緘部材８４で留める。この時、封緘部材８４は開封口形成部６４の、第一開封用透孔６８，７４、第二開封用透孔７０，７６、開始用透孔７８を閉鎖しないようにする。これにより、図１に示すように包装が完了する。
【００３０】
開封口形成部６４の裏面側には差込裏板片４４が位置し、第一開封用透孔６８，７４、第二開封用透孔７０，７６、開始用透孔７８から差込裏板片４４が露出し、包装用箱１０の内側空間に連通することなく包装される。また差込裏板片４４には、側面２０と異なる印刷部８１が設けられ、第一開封用透孔６８，７４、第二開封用透孔７０，７６、開始用透孔７８の位置と形状が視覚的にわかり易い。また、第一開封用透孔６８，７４、第二開封用透孔７０，７６、開始用透孔７８により、側面２０の表面と段差が形成され、手で触れると触感でも開口部の位置と形状を認識可能に形成されている。
【００３１】
包装用箱１０から収容物を取り出す時は、まず開封口形成部６４を探す。開封口形成部６４の第一開封用透孔６８，７４、第二開封用透孔７０，７６、開始用透孔７８は、視覚的にも触覚的にもわかり易いため、視力が低下した人にも位置と形状が容易に確認される。開封時には、開封口形成部６４の開始用透孔７８側から押して、引き上げる。すると、まず開始用透孔７８の溝部８０と、第二開封用透孔７０，７６の間が切断され、さらに開封口形成部６４を引き上げると、第二開封用透孔７０，７６と第一開封用透孔６８，７４の間が切断され、最後に第一開封用透孔６８，７４と端部２０ａの間が切断される。側面２０が切断されるたびに音が発生し、切断したことが聴覚により確認される。開封口形成部６４は、側面２０から外され封緘部材８４により上蓋片４０に連結され、図２に示すように開封される。
【００３２】
この実施形態の包装用箱１０によれば、簡単な構造で、視覚と触覚により開封口形成部６４の位置と形状がわかり易く、開封するときに音が発生して聴覚で開封を確認することができる。これにより、視力が低下した人にも簡単に開封することができる。開封口形成部６４は、第一開封用透孔６８，７４、第二開封用透孔７０，７６、開始用透孔７８のみで囲まれて形成された単純な構造であり、手が不自由な人にも開封しやすいものである。第一開封用透孔６８，７４、第二開封用透孔７０，７６、開始用透孔７８は丸みを帯びた形状であり、安全性が高いものである。また、第一開封用透孔６８，７４、第二開封用透孔７０，７６、開始用透孔７８から、側面２０とは異なる印刷部８１が見えて目立つため、消費者に強い印象を与えることができる。また、開封するときに、側面２０が切断されるたびに音が発生するため、リズム感があり、開封したことが聴覚でもわかる。開封線６６，７２は、第二開封用透孔７０、７６のほうが第一開封用透孔６８，７４よりも大きく形成されているため、開始用透孔７８側から切断しやすくなっている。開始用透孔７８には、第二開封用透孔７０、７６に向かって突出する溝部８０が形成され、この点からも円滑に、第二開封用透孔７０、７６に向かって切断が開始される。開封した後は、側面２０には各開封用透孔の直線部がつながって形成された矩形の切欠部が形成され、すっきりとしたものとなる。各開封用透孔は、直線部が各曲線部よりも長く設けられ、隣接する直線部同士は一直線上に位置しているため、開封時に確実に直線同士を連結する方向に切断され、横にそれずにきれいに切断することができる。破線やハーフカット線を使用することがなく、箱体の強度を維持することができ、安全に輸送することができる。
【００３３】
次に、この発明の第二実施形態について図４〜図６に基づいて説明する。なお、ここで、上記実施形態と同様の部材は同様の符号を付して説明を省略する。この実施形態の包装用箱８６は、紙製等の一枚のブランクシートを打ち抜いて形成された箱体形成片８７を組み立てて設けられている。図６は、箱体形成片８７を表面から見た展開図である。
【００３４】
側面１６の、側面１４の折罫線３４に隣接する端部には、矩形の上蓋片４０が折罫線４２で区切られて設けられている。上蓋片４０の折罫線４２と反対側の端部には、差込裏板片８８が折罫線９０で区切られて設けられている。差込裏板片８８は、包装用箱８６の組立状態で側面２０の裏面に差し込まれるものであり、差込裏板片８８の形状は、後述する開封口形成部９４の第一開封用透孔６８，７４、第二開封用透孔７０，７６を覆う大きさの矩形であり、角部が面取りされたものである。
【００３５】
側面２０の、側面１８の折罫線５８に隣接する端部２０ａの中心には、開封口形成部９４が設けられている。開封口形成部９４は、端部２０ａに対して直角な一対の開封線６６，７２と開始用フラップ９６で囲まれて設けられている。開封線６６には第一開封用透孔６８と第二開封用透孔７０が設けられ、開封線７２には第一開封用透孔７４と第二開封用透孔７６が設けられている。
【００３６】
開始用フラップ９６は、開封線６６，７２の両端のうち、側面２０の中心である中央部側の先端同士を連結して設けられ、端部２０ａに対して平行な破断線９８と、破断線９８に対して平行で破断線９８よりも側面２０の中心に近い位置に設けられた折罫線１００と、第二開封用透孔７０，７６の直線部７０ａ，７６ａの延長線上に位置する一対の切断線１０２で囲まれた長細い矩形である。開封線６６，７２とは、第二開封用透孔７０，７６から間隔をあけて設けられ、長手方向に位置する切断線１０２は、第二開封用透孔７０，７６に近い端部は第二開封用透孔７０，７６に向かってＵ字形に突出している溝形成線部１０４が各々設けられている。そして、他方の端部は丸く面取りされたような形状で折罫線１００の両端部に連続している。
【００３７】
箱体形成片８７の表面には、収容物についての説明や模様などが印刷されている。差込裏板片８８には側面２０と異なる色や異なる絵柄で設けられた印刷部９２が印刷されている。
【００３８】
この実施形態の包装用箱８６の組立方法は、上記実施の形態と同様であり、図４に示すように包装が完了する。開封口形成部９４の裏面側には差込裏板片８８が位置し、第一開封用透孔６８，７４、第二開封用透孔７０，７６から差込裏板片８８が露出し、包装用箱１０の内側空間に連通することなく包装される。また差込裏板片８８には、側面２０と異なる印刷部９２が設けられ、第一開封用透孔６８，７４、第二開封用透孔７０，７６の位置と形状が視覚的にわかり易い。また、第一開封用透孔６８，７４、第二開封用透孔７０，７６は側面２０の表面と段差があるため、手で触れると触感でも位置と形状がわかる。
【００３９】
包装用箱８６から収容物を取り出す時は、開始用フラップ９６を押して破断線９８を切断する。開始用フラップ９６は、切断線１０２と折罫線１００で３方向が囲まれているため、容易に側面２０の内側へ沈み、破断線９８を簡単に切断することができる。そして、切断された破断線９８の端部２０ａ側の側縁部を保持して引き上げる。このとき切断線１０２の溝形成線部１０４の内側の部分が側面２０から外れて溝部が形成される。さらに引き上げると、まず溝部と、第二開封用透孔７０，７６の間が切断され、第二開封用透孔７０，７６と第一開封用透孔６８，７４の間が切断され、最後に第一開封用透孔６８，７４と端部２０ａの間が切断される。開封口形成部９４は、側面２０から外され封緘部材８４により上蓋片４０に連結され、図５に示すように開封される。
【００４０】
この実施形態の包装用箱８６によれば、上記実施の形態と同様の効果を有するものである。側面２０には開始用透孔が開口されず開始用フラップ９６で閉鎖された状態であるため、差込裏板片８８は、第一開封用透孔６８，７４と第二開封用透孔７０，７６を覆う大きさでよく、小型化することができる。開始用フラップ９６は、切断線１０２と折罫線１００で３方向が囲まれているため、容易に側面２０の内側へ沈み、破断線９８を簡単に切断することができ、手が不自由な人も簡単に開封することができる。
【００４１】
なお、この発明の包装用箱は、上記各実施の形態に限定されるものではなく、差込裏板片の印刷部は自由にデザインすることができ、無地でも絵柄が設けられてもよく、側面に設けられた開封用透孔ごとに異なる印刷部が見えるものでもよい。開封口を示す文字等が設けられても良い。各開封用透孔の形は自由に表現可能であり、透孔の形状によりいろいろなグラフィック効果を期待することができる。開封用透孔の数も変更可能であり、１本の開封線に１個、または３個以上の開封用透孔が設けられてもよい。また、箱体の大きさや形状は収容物の形状や数に合わせて適宜変更可能である。底部の形状は、ワンタッチで組み立てられるものなど、適宜変更可能である。上蓋片と側面は、テープで留める方法以外に、糊付け等でもよい。
【符号の説明】
【００４２】
１０  包装用箱
１２  箱体形成片
１４，１６，１８，２０  側面
２２  糊付片
４０  上蓋片
４４，８８  差込裏板片
６４，９４  開封口形成部
６６，７２  開封線
６８，７４  第一開封用透孔
６８ａ，７０ａ，７４ａ，７６ａ  直線部
６８ｂ，７０ｂ，７４ｂ，７６ｂ  曲線部
７０，７６  第二開封用透孔
７８  開始用透孔
８０  溝部
８２  糊
８４  封緘部材
９６  開始用フラップ
【図１】
0006456050.tif 000002
【図２】
0006456050.tif 000003
【図３】
0006456050.tif 000004
【図４】
0006456050.tif 000005
【図５】
0006456050.tif 000006
【図６】
0006456050.tif 000007